(57)【要約】【課題】Ｕ字形に形成された操作リンクのＵ字形状が加工不良などにより変形していても、操作リンクと係合するラッチが異常摩耗することがなく、高耐久性を維持できる回路遮断器の開閉機構を提供する。【解決手段】ハンドル軸２を支点に回動操作される操作ハンドル１と、操作ハンドル１に一方端３ａが係合し他方端３ｂに回動力を伝動する操作リンク３と、操作リンク３の他方端３ｂに係合し回動力を受けるラッチ４と、ラッチ４が受けた回動力によって回動軸６を支点に回動して可動接点８を固定接点９から開離させる可動子部１０とを備えた回路遮断器の開閉機構において、操作リンク３の一方端３ａが係合する操作ハンドル１の係合孔１ｂの筒状部１ｃに突起部１ｄを配設し、一方端３ａが突起部１ｄの先端に当接するようにした。【選択図】        図２
2004164953.tif 000002
【特許請求の範囲】
【請求項１】
ハンドル軸を支点に回動操作される操作ハンドルと、
この操作ハンドルに一方端が係合し他方端に回動力を伝動する操作リンクと、
この操作リンクの他方端に係合し回動力を受けるラッチと、
このラッチが受けた回動力によって回動軸を支点に回動して可動接点を固定接点から開離させる可動子部とを備えた回路遮断器の開閉機構において、
上記操作リンクの一方端が係合する操作ハンドルの係合孔の筒状部に突起部を配設したことを特徴とする回路遮断器の開閉機構。
【請求項２】
ハンドル軸を支点に回動操作される操作ハンドルと、
この操作ハンドルに一方端が係合し他方端に回動力を伝動する操作リンクと、
この操作リンクの他方端に係合し回動力を受けるラッチと、
このラッチが受けた回動力によって回動軸を支点に回動して可動接点を固定接点から開離させる可動子部とを備えた回路遮断器の開閉機構において、
上記回動軸が係合する上記可動子部の係合孔の筒状部に突起部を配設したことを特徴とする回路遮断器の開閉機構。
【請求項３】
操作リンクの一方端が係合する操作ハンドルの係合孔の筒状部に突起部を配設したことを特徴とする請求項２記載の回路遮断器の開閉機構。
【発明の詳細な説明】
【０００１】
【発明の属する技術分野】
この発明は、回路遮断器を開閉動作させる機構構成に関する。
【０００２】
【従来の技術】
従来の回路遮断器の開閉機構は、操作ハンドルを回動させると、Ｕ字形に形成した操作リンクに連動されたラッチが回動力を受け、アーム及びこのアームに連結された可動子部も回動して、可動接点が固定接点から開離する。（例えば、特許文献１の図２参照。）。
【０００３】
【特許文献１】
特開２００１−３０７６１３号公報（図２とその説明）。
【０００４】
【発明が解決しようとする課題】
従来の回路遮断器の開閉機構は、以上のように構成されているのでＵ字形に形成された操作リンクのＵ字形状が加工不良などにより変形していると、操作リンクとラッチとの係合が点接触になり、そこに荷重が集中して異常磨耗するという問題があった。
【０００５】
この発明は、かかる問題点を解決するためになされたものであり、ラッチが異常摩耗することがなく、高耐久性を維持できる回路遮断器の開閉機構を提供することを目的としている。
【０００６】
【課題を解決するための手段】
この発明に係る回路遮断器の開閉機構は、ハンドル軸を支点に回動操作される操作ハンドルと、この操作ハンドルに一方端が係合し他方端に回動力を伝動する操作リンクと、この操作リンクの他方端に係合し回動力を受けるラッチと、このラッチが受けた回動力によって回動軸を支点に回動して可動接点を固定接点から開離させる可動子部とを備えた回路遮断器の開閉機構において、操作リンクの一方端が係合する操作ハンドルの係合孔の筒状部に突起部を配設したものである。
【０００７】
【発明の実施の形態】
実施の形態１．
図１はこの発明の実施の形態１の回路遮断器の機構構成を示す外観斜視図、図２は図１の側面図、図３は図２のＡ−Ａ断面図、図４は図２のＢ−Ｂ断面図である。
【０００８】
図において、操作ハンドル１をハンドル軸２を支点に矢印Ｃ方向（図２に示す）に回動操作させると、突出部１ａに配設された係合孔１ｂに係合した略Ｕ字形状の操作リンク３の一方端３ａが矢印Ｄ方向に回動し、操作リンク３の他方端３ｂはこの回動力をラッチ４の係合部４ａに伝動し、ラッチ４に係合したアーム５は係合孔５ａに軸支された回動軸６を支点にして矢印Ｅ方向に回動する。
【０００９】
アーム５が回動すると、アーム５に連動して可動子７は矢印Ｆ方向に回動し、可動子７に固着された可動接点８が固定接点９から開離する。
なお、アーム５及び可動子７はラッチ４に連動して一体的に回動動作するものであり、アーム５及び可動子７をここでは可動子部１０とする。
【００１０】
また、上記説明において、係合孔１ｂの筒状部１ｃ（図３に示す）には突起部１ｄが配設され、係合孔５ａの筒状部５ｂ（図４に示す）には突起部５ｃが配設されており、略Ｕ字形状の操作リンク３の一方端３ａ及び回動軸６がこの突起部１ｄ、突起部５ｃの先端に当接する構造になっている。
【００１１】
以上のように構成されたこの発明の実施の形態１の回路遮断器の機構構成によれば、略Ｕ字形状の操作リンク３の一方端３ａが係合孔１ｂの筒状部１ｃの突起部１ｄの先端に当接し、この当接部を支点として係合孔１ｂ内で遊動可能に支持されているので、Ｕ字形に形成された操作リンク３のＵ字形状が加工不良などにより変形していても、操作リンク３の他方端３ｂはラッチ４の係合部４ａに沿って係合するので、点接触による異常磨耗は生じない。
【００１２】
また、回動軸６が係合孔５ａの筒状部５ｂの突起部５ｃの先端に当接し、この当接部を支点として係合孔５ａ内で遊動可能に支持されているので、Ｕ字形に形成された操作リンク３のＵ字形状が加工不良などにより変形していても、操作リンク３の他方端３ｂはラッチ４の係合部４ａに沿って係合するので、点接触による異常磨耗は生じない。
【００１３】
なお、上記の実施例では操作リンク３の一方端３ａを係合孔１ｂの筒状部１ｃの突起部１ｄの先端に当接させ、この当接部を支点として係合孔１ｂ内で遊動可能に支持すると共に、回動軸６を係合孔５ａの筒状部５ｂの突起部５ｃの先端に当接させ、この当接部を支点として係合孔５ａ内で遊動可能に支持させたが、少なくともいずれか一方を実施するだけでもラッチ４の係合部４ａの異常磨耗を防止できる。
【００１４】
【発明の効果】
この発明は、以上説明したように構成されているので、以下に記載されるような効果を奏する。
【００１５】
ハンドル軸を支点に回動操作される操作ハンドルと、この操作ハンドルに一方端が係合し他方端に回動力を伝動する操作リンクと、この操作リンクの他方端に係合し回動力を受けるラッチと、このラッチが受けた回動力によって回動軸を支点に回動して可動接点を固定接点から開離させる可動子部とを備えた回路遮断器の開閉機構において、操作リンクの一方端が係合する操作ハンドルの係合孔の筒状部に突起部を配設した略Ｕ字形状の操作リンクの一方端が係合孔の筒状部の突起部の先端に当接し、この当接部を支点として係合孔内で遊動可能に支持されているので、Ｕ字形に形成された操作リンクのＵ字形状が加工不良などにより変形していても、操作リンクの他方端はラッチの係合部に点接触で係合することがないので、荷重が集中することによる異常磨耗がなく、高耐久性を維持する回路遮断器の開閉機構を提供することができる。
【図面の簡単な説明】
【図１】この発明の実施の形態１の回路遮断器の機構構成を示す外観斜視図である。
【図２】図１の側面図である。
【図３】図２のＡ−Ａ断面図である。
【図４】図２のＢ−Ｂ断面図である。
【符号の説明】
１  操作ハンドル、１ａ  突出部、１ｂ  係合孔、１ｃ  筒状部、１ｄ、突起部、２  ハンドル軸、３  操作リンク、３ａ  一方端、３ｂ  他方端、４  ラッチ、４ａ  係合部、５  アーム、５ａ  係合孔、５ｂ  筒状部、５ｃ  突起部、
６  回動軸、７  可動子、８  可動接点、９  固定接点、１０  可動子部。
【図１】
2004164953.tif 000003
【図２】
2004164953.tif 000004
【図３】
2004164953.tif 000005
【図４】
2004164953.tif 000006